(57)【要約】【課題】シャワーノズルから水を霧状に噴霧してサウナ状態にするミスト式のサウナ装置において、水道や外部に設置された給湯器などから給水を受ける際、誤配管などによって給水温度に異常が発生した場合、浴室内に適切なサウナ空間を作り出すことが困難となる。【解決手段】サウナ運転中において、水温センサ１０により給水温度を計測して適切な給水温度かどうかを検知することで、給水温度に異常が見られた場合は速やかに使用者に報知して適切な処置が行えるようにしたサウナ装置である。【選択図】図１
2008194206.tif 000002
【特許請求の範囲】
【請求項１】
浴室内の空気を循環する循環ファンと、前記循環ファンにより送風された空気を加熱する加熱手段と、給水された水を噴き出すミストノズルと、前記循環ファンと前記加熱手段とを制御する制御装置と、を備えたサウナ装置であって、前記制御装置は、前記ミストノズルへの給水温度を計測する水温センサを備え、水温が所定値以上であることを検知して警報音もしくは表示により異常が発生したことを使用者に告知することを特徴とするサウナ装置。
【請求項２】
制御装置は、ミストノズルへの給水温度を計測する水温センサを備え、水温が所定値以下であることを検知して警報音もしくは表示により異常が発生したことを使用者に告知することを特徴とする請求項１に記載のサウナ装置。
【請求項３】
制御装置は、給水弁を介して給水される水の温度を設定する水温設定手段を備え、前記水温設定手段により前記給水弁を介して給水される水の温度を設定し、水温が所定値以上又は以下であることを検知して警報音もしくは表示により異常が発生したことを使用者に告知することを特徴とする請求項１または２に記載のサウナ装置。
【請求項４】
制御装置は、ミストノズルへの給水温度を計測する水温センサを備え、水温が所定値以上又は以下であることを検知して前記ミストノズルからの噴霧を停止して警報音もしくは表示により異常が発生したことを使用者に告知することを特徴とする請求項１〜３のいずれかに記載のサウナ装置。
【発明の詳細な説明】
【技術分野】
【０００１】
本発明は、浴室内を高温高湿なサウナ空間にするサウナ装置に関し、水道や外部に設置された給湯器などから給水を受ける際、誤配管や通信異常等によって給水温度に異常が発生した場合に、異常を検知して使用者に迅速に報知するサウナ装置に関する。
【背景技術】
【０００２】
従来、この種のサウナ装置の故障の検知の方法と保護の例として、循環ファンの故障を検出する方法が知られている（例えば特許文献１参照）。
【０００３】
特許文献１に示すものは、サウナ装置等において、モータの駆動電流を検出する電流検知手段と比較手段を設け、比較手段によりモータに異常が生じていると判断されると、モータへの電源供給を遮断するようにしたものである。
【特許文献１】特開平７−１２３５８３号公報
【発明の開示】
【発明が解決しようとする課題】
【０００４】
ノズルから水を霧状に噴射して、この霧を加熱し、循環してサウナ室をサウナ状態にするミスト式のサウナ装置が家庭でも使われるようになってきている。
【０００５】
しかしながら、本来であれば、ノズルに冷水を供給するための水道管が、誤配管や通信異常によって温水を受けるようになっていた場合、供給されるはずのない想定外の水温の水が給水されてしまうことで、浴室内に適切なサウナ空間を作り出すことが困難となる。
【０００６】
上記目的を達成するために、ミストの発生が行われる際に、給水温度を計測して適切な給水温度かどうかを検知することで、給水温度に異常が見られた場合は速やかに使用者に報知して適切な処置が行えるようにしたサウナ装置を提供することを目的としている。
【課題を解決するための手段】
【０００７】
本発明のサウナ装置は上記目的を達成するために、ミストノズルへの給水温度を計測する水温センサを備え、水温が所定値以上であることを検知して警報音もしくは表示により異常が発生したことを使用者に告知するようにしたものである。
【０００８】
また、本発明のサウナ装置は、上記目的を達成するために、ミストノズルへの給水温度を計測する水温センサを備え、水温が所定値以下であることを検知して警報音もしくは表示により異常が発生したことを使用者に告知するようにしたものである。
【０００９】
また、本発明のサウナ装置は、上記目的を達成するために、給水弁を介して給水される水の温度を設定する水温設定手段を備え、前記水温設定手段により前記給水弁を介して給水される水の温度を設定し、水温が所定値以上又は以下であることを検知して警報音もしくは表示により異常が発生したことを使用者に告知するようにしたものである。
【００１０】
また、本発明のサウナ装置は、上記目的を達成するために、ミストノズルへの給水温度を計測する水温センサを備え、水温が所定値以上又は以下であることを検知して前記ミストノズルからの噴霧を停止して警報音もしくは表示により異常が発生したことを使用者に告知するようにしたものである。
【発明の効果】
【００１１】
本発明によれば、ミストの発生が行われる際に、給水温度を計測して適切な給水温度かどうかを検知することで、給水温度に異常が見られた場合は速やかに使用者に報知して適切な処置が行えるようにしたサウナ装置を提供できる。
【発明を実施するための最良の形態】
【００１２】
請求項１記載の発明は、浴室内の空気を循環する循環ファンと、前記循環ファンにより送風された空気を加熱する加熱手段と、給水された水を噴き出すミストノズルと、前記循環ファンと前記加熱手段とを制御する制御装置と、を備えたサウナ装置であって、前記制御装置は、前記ミストノズルへの給水温度を計測する水温センサを備え、水温が所定値以上であることを検知して警報音もしくは表示により異常が発生したことを使用者に告知することを特徴とするサウナ装置であり、水温センサにより計測された給水温度を計測することで、給水温度が異常である場合には異常判定をして、想定外の温度で給水が行われた際に給水温度の異常が発生したことを使用者に告知するという作用を有する。
【００１３】
請求項２記載の発明は、前記制御装置は、前記ミストノズルへの給水温度を計測する水温センサを備え、水温が所定値以下であることを検知して警報音もしくは表示により異常が発生したことを使用者に告知することを特徴とするサウナ装置であり、水温センサにより計測された給水温度を計測することで、給水温度が異常である場合には異常判定をして、想定外の温度で給水が行われた際に給水温度の異常が発生したことを使用者に告知するという作用を有する。
【００１４】
請求項３記載の発明は、前記制御装置は、前記給水弁を介して給水される水の温度を設定する水温設定手段を備え、前記水温設定手段により前記給水弁を介して給水される水の温度を設定し、水温が所定値以上又は以下であることを検知して警報音もしくは表示により異常が発生したことを使用者に告知することを特徴とするサウナ装置であり、サウナ装置が温水と冷水を使い分けて、使用者の嗜好や浴室の温湿度に合わせた制御をしながら、かつ、給水温度が異常である場合には異常判定をして、想定外の温度で給水が行われた際に給水温度の異常が発生したことを使用者に告知するという作用を有する。
【００１５】
請求項４記載の発明は、前記制御装置は、前記ミストノズルへの給水温度を計測する水温センサを備え、水温が所定値以上又は以下であることを検知して前記ミストノズルからの噴霧を停止して警報音もしくは表示により異常が発生したことを使用者に告知することを特徴とするサウナ装置であり、サウナ装置に給水される給水温度が異常であることを判定して、想定外の温度で給水が行われた際にはミストノズルからの噴霧を停止すると共に、異常が発生したことを使用者に告知するという作用を有する。
【００１６】
（実施の形態１）
図１は本発明の実施の形態１〜４の全体構成を示す図である。
【００１７】
まず、本実施の形態１に関わる構成について説明する。サウナ空間を形成する浴室などの天井１に取り付けられたケーシング２の内部に循環ファン３が設けられ、この循環ファン３が駆動されたときに下部のサウナ室内の空気を循環するための循環風路３ａ内に、ヒータなどの加熱手段４とミストノズル５が設けられている。
【００１８】
このミストノズル５は、給水管６に接続され、水道から止水の給水を受け、給水弁７の動作で霧状のミストを前記の循環風路３ａ内に噴出する。
【００１９】
以上述べた構成は後述する実施の形態２〜４においても同じである。
【００２０】
なお、この種のサウナ装置は、サウナ室内の換気を行うために排気ファン８が設けられていて、この排気ファン８が駆動することで排気風路８ａが構成され、サウナ室内の空気は屋外に排出されて換気が行われる。
【００２１】
制御装置９は、ケーシング２内の冷所に設置され、前述の循環ファン３や加熱手段４などを制御する。
【００２２】
以上述べた構成において、本実施の形態では給水弁７の上流に、またミストノズル５近傍の給水管６に水温センサ１０を設けている。この水温センサ１０は、例えばサーミスタを用いたものを使用する。
【００２３】
図２は電気系の構成を示すブロック図である。制御装置９は、ＣＰＵ１１に入力として水温センサ１０が接続されると共に、運転の発停や、タイマ運転などを設定する設定部１２が接続され、ＣＰＵ１１の出力には電磁継電器などの駆動手段１３、１４、１５を介して、それぞれ循環ファン３、加熱手段４、給水弁７が接続され、さらに警報表示装置１６が接続されている。
【００２４】
前記の設定部１２は、使用者が操作して、換気運転や暖房運転やサウナ運転などの運転モードを選択し、運転の発停やタイマ運転を行わせるもので、スイッチやタイマ時限の表示器などから構成されるものである。
【００２５】
また、前記の警報表示部は、ブザーや液晶表示装置などで構成され、前記の設定部１２とともにサウナ室の外部に設置される。
【００２６】
このような構成において、設定部１２で使用者がサウナ運転を選択し、運転スイッチを押すことにより、制御装置９は循環ファン３と加熱手段４と給水弁７を駆動して、サウナ室内の空気を加熱と加湿をしながら循環して、サウナ室内を温暖で多湿な状態にするが、この制御装置９の詳細な動作を図１と図２を参照しながら、図３を用いて説明する。
【００２７】
図３は制御装置９の動作を示すフローチャートである。
【００２８】
まず、Ｓ（ステップ）１において、循環ファン３を駆動し、Ｓ２で加熱手段４を駆動する。次にＳ３で給水弁７を駆動する。この状態でサウナ運転の動作が完成する。次にＳ４で水温センサ１０が検知する給水管６の水温が所定値Ｋ１以上であればそのままサウナ運転を継続するが（Ｓ５）、所定値未満であれば、給水温度の異常を検知して（Ｓ６）警報表示部で警報音を発生もしくは表示して（Ｓ７）使用者に給水管の水温が異常であることを報知する。所定値Ｋ１としては、体に優しいマイクロミストサウナ、ミストサウナを享受できればよく、例えば、５０℃程度である。
【００２９】
本来であればサウナ装置には常温の止水が供給され、給水弁の制御によってミストノズルより噴霧されるという構造になっている。これは止水を用いて、人間の体温に近い低温のミストを提供することで、高齢者や子供などでも体の負担をかけにくいサウナ空間を体験することができる。
【００３０】
ここで所定値Ｋ１を５０℃とし、５０℃を上回る温水が供給されていることが検知された場合、浴室で使用される給水温度である４２℃程度の水温域を大きく上回った給水がなされているということがいえる。これは通常の止水が接続されているのであれば給水されることのない水温である。その結果、制御装置は所定値を５０℃とすることで、サウナ装置の給水管の誤配管や通信異常であるという検知ができる。制御装置がこの異常を検知することで、給水弁を閉として温水の給水を速やかに停止し、また、警報表示部や警報音を用いて、給水温度に異常があることを使用者に知らせることができる。
【００３１】
以上の動作は、ＣＰＵ１１内のマイコン、ＲＡＭ、ＲＯＭが協働するプログラムの形態で実施される。
【００３２】
（実施の形態２）
本発明の実施の形態２の電気系の構成を示すブロック図を、実施の形態１と同様に図２に示す。実施の形態１と同一部分は同一符号を付し詳細な説明は省略する。このミストノズル５は、給水管６に接続され、外部に設置された給湯器などから給水を受け、給水弁７の動作で霧状のミストを前記の循環風路３ａ内に噴出する。
【００３３】
図４に本発明の実施の形態２の制御装置９の動作を示すフローチャートを示す。まず、Ｓ（ステップ）８において、循環ファン３を駆動し、Ｓ９で加熱手段４を駆動する。次にＳ１０で給水弁７を駆動する。この状態でサウナ運転の動作が完成する。次にＳ１１で水温センサ１０が検知する給水管６の水温が所定値Ｋ２未満であればそのままサウナ運転を継続するが（Ｓ１２）、水温が所定値Ｋ２以上であれば、給水温度の異常を検知して（Ｓ１３）警報表示部で警報音を発生もしくは表示して（Ｓ１４）使用者に給水管の水温が異常であることを報知する。所定値Ｋ２としては、体に優しいマイクロミストサウナ、ミストサウナを享受できればよく、例えば、３５℃程度である。
【００３４】
本来であればサウナ装置には給湯器から供給された温水が給水され、給水弁の制御によってミストノズルより噴霧されるという構造になっている。これは、サウナ装置に予め温水を供給することで、冬季などでサウナ空間の気温が低い場合に、速やかに気温を上げる制御を行う際に使用する。
【００３５】
しかし、ここで所定値Ｋ２を３５℃とし、３５℃を下回る冷水が供給されていることが検知されたということは、浴室で使用される給水温度である４２℃程度の水温域を大きく下回った冷水の供給がなされているということがいえる。これは給湯器からの温水が供給されているのであれば給水されることのない水温である。その結果、制御装置は所定値を３５℃とすることで、サウナ装置の給水管の誤配管や通信異常であるという検知ができる。
【００３６】
以上の動作は、ＣＰＵ１１内のマイコン、ＲＡＭ、ＲＯＭが協働するプログラムの形態で実施される。
【００３７】
（実施の形態３）
本発明の実施の形態３の電気系の構成を示すブロック図を、実施の形態１、２と同様に図２に示す。実施の形態１、２と同一部分は同一符号を付し詳細な説明は省略する。この制御装置９は、ミストノズル５から噴霧する給水のために、止水を供給する配管と給水管６と接続することで冷水の供給をさせ、また更に、給湯器からの配管とを接続することで温水を供給させることができる。
【００３８】
図５は制御装置９の動作を示すフローチャートである。
【００３９】
まず、Ｓ（ステップ）１５において、循環ファン３を駆動し、Ｓ１６で加熱手段４を駆動する。次にＳ１７で給水弁７を駆動する。この状態でサウナ運転の動作が完成する。次にＳ１８で水温センサ１０が検知する給水管６の水温が所定値Ｋ３以上かつ所定値Ｋ４未満であればそのままサウナ運転を継続するが（Ｓ１９）、所定値Ｋ３未満または所定値Ｋ４以上であれば、給水温度の異常を検知して（Ｓ２０）警報表示部で警報音を発生もしくは表示して（Ｓ２１）使用者に給水管の水温が異常であることを報知する。
【００４０】
実施の形態３の構成において、サウナ装置はサウナ空間を作るための立ち上げ時に、給水管６から供給された温水が所定値Ｋ３以上であることを確認した上で、温水を利用してミストノズルからの噴霧を行う。また、適温まで到達した後には、噴霧する給水を温水から冷水に変更し、所定値Ｋ４以下の給水が行われていることを確認した上で、継続してサウナ制御を行う。所定値Ｋ３としては、体に優しいマイクロミストサウナ、ミストサウナを享受できればよく、例えば、３５℃程度である。所定値Ｋ４としては、体に優しいマイクロミストサウナ、ミストサウナを享受できればよく、例えば、５０℃程度である。
【００４１】
所定値Ｋ３を３５℃、所定値Ｋ４を５０℃とする。初期の立ち上げ時に給水管６より所定値Ｋ３を下回った冷水が供給されていた場合は、浴室で使用される給水温度である４２℃程度の水温域を大きく下回った冷水の供給がなされているということがいえる。その場合、サウナ運転の開始から目標とするサウナ空間に適した温度に到達するまでの時間である立ち上げ時間が、給水管６より温水が供給されている時よりも長くなる。本来であれば、給湯器からの温水の熱と、加熱手段からの熱とを用いて、循環風路３ａ内の循環空気の温度を加熱し上昇させているが、冷水が供給されていた場合は、加熱手段４のみで空気の加熱を行っているためである。
【００４２】
また、温度が安定した後でも所定値Ｋ４を上回る温水が供給されていた場合は、浴室で使用される給水温度である４２℃程度の水温域を大きく下回った冷水の供給がなされているということがいえる。これは、加熱手段４のみでサウナ空間内の温度を保てるにも関わらず、給湯器からの温水を使用することで、無駄なエネルギーを使っているのみならず、不必要な加熱によりサウナ空間の気温が上昇しすぎる可能性がある。
【００４３】
このように、それぞれの所定値を上回る又は下回る給水がなされていた場合は、立ち上げ時間が伸びたり、無駄なエネルギーを使用したりすることがある。
【００４４】
以上のことから、サウナ運転の立ち上げ動作時と、温度が安定した後の動作時とで供給される給水温度を変化させることでサウナ空間の状況に合わせたサウナ運転制御を行うことができ、また、所定値Ｋ３を３５℃、所定値Ｋ４を５０℃とすることで、配管が誤って給水管６に接続されているか通信異常であることを検知した後に、警報表示部で警報音を発生もしくは表示することができる。
【００４５】
（実施の形態４）
本発明の実施の形態３の電気系の構成を示すブロック図を、実施の形態１〜３と同様に図２に示す。実施の形態１乃至３と同一部分は同一符号を付し詳細な説明は省略する。
【００４６】
図６は制御装置９の動作を示すフローチャートである。まず、Ｓ（ステップ）２２において、循環ファン３を駆動し、Ｓ２３で加熱手段４を駆動する。次にＳ２４で給水弁７を駆動する。この状態でサウナ運転の動作が完成する。次にＳ２５で水温センサ１０が検知する給水管６の水温が所定値Ｋ３以上かつ所定値Ｋ４未満であればそのままサウナ運転を継続するが（Ｓ２６）、所定値Ｋ３未満または所定値Ｋ４以上であれば、給水温度の異常を検知して（Ｓ２７）ミストノズルからの噴霧を停止し（Ｓ２８）、警報表示部で警報音を発生もしくは表示して（Ｓ２９）使用者に給水管の水温が異常であることを報知する。
【００４７】
実施の形態４のサウナ装置のサウナ動作については、実施の形態１〜３と同様の制御を行う。
【００４８】
本実施の形態において、実施の形態３に示したように、本来であれば給水管６から温水が供給されるはずが、所定値を下回る水温の冷水が供給された場合や、給水管６から冷水が供給されるはずが、所定値を上回る温水が供給された場合に誤配管や通信異常を検知する。
【００４９】
上記のように誤配管や通信異常が検知された場合、警報表示部で警報音を発生もしくは表示を行うと共に速やかにミストノズル５からの噴霧を停止する。ミスト運転を開始してもミストノズル５からの噴霧がなされないため、使用者は実際の動作により異常が発生していることが認識でき、また、サウナに適さない水温での噴霧をしないことで、循環ファン３からの送風や加熱手段４からの加熱のみによってサウナ空間の温度を保ちやすくするという効果がある。更に、警報表示部で警報音を発生もしくは表示を行うことで、発生している異常の内容を認識して、対応することができる。
【産業上の利用可能性】
【００５０】
本発明にかかるサウナ装置は、簡単な構成で供給された給水温度が異常であることを判断し、誤配管や通信異常などの異常の場合に迅速に使用者に知らせるものであり、住居用のサウナ装置はもとより、業務用などの他用途のサウナ装置などでも同様の手段を用いることで、異常判定を行うことができる。
【図面の簡単な説明】
【００５１】
【図１】本発明の実施の形態１〜４の全体構成を示す図
【図２】本発明の実施の形態１〜４の電気系の構成を示すブロック図
【図３】同実施の形態１における制御装置の動作を示すフローチャート
【図４】同実施の形態２における制御装置の動作を示すフローチャート
【図５】同実施の形態３における制御装置の動作を示すフローチャート
【図６】同実施の形態４における制御装置の動作を示すフローチャート
【符号の説明】
【００５２】
１    天井
２    ケーシング
３    循環ファン
３ａ  循環風路
４    加熱手段
５    ミストノズル
６    給水管
７    給水弁
８    排気ファン
８ａ  排気風路
９    制御装置
１０  水温センサ
１１  ＣＰＵ
１２  設定部
１３、１４、１５  駆動手段
１６  警報表示装置
【図１】
2008194206.tif 000003
【図２】
2008194206.tif 000004
【図３】
2008194206.tif 000005
【図４】
2008194206.tif 000006
【図５】
2008194206.tif 000007
【図６】
2008194206.tif 000008